(57)【要約】【課題】従来のバイオマスボイラーは、チップ、ペレット使用の大型ボイラーが主流であるが、不揃いの木質バイオマスが焼却でき、小型で設置場所に限定されない、ボイラーの利用で効率の良いボイラーを提供する。【解決手段】炉内回転式蒸気ボイラーで炉内のその仕様は、縦型ボイラー用炉には円形盤回転式（１）と横長ボイラー用炉にはキャタピラー回転式（２）とがあり燃料に不揃の木材、竹材と、のこくず、もみがら、竹粉、粉炭、又はコールタール、液状化石炭などの燃焼が可能な炉内回転式蒸気ボイラーが提供できる。【選択図】図1
2015132419.tif 000002
【特許請求の範囲】
【請求項１】
ボイラーに関するもので、炉内回転式蒸気ボイラーで、炉内のその仕様は、縦型ボイラー用炉には、円形盤回転式（１）と横長ボイラー用炉には、キャタピラー回転式（２）とがあり、先に（１）の縦型ボイラー用円形盤回転式の構成は、スラスト及ラジアルベアリングを要した回転用円盤に、適宜サイズの山形傾斜円筒を置き、その山形傾斜面に１０から２０ミリの薄型鋼材を円巻きと縦に溶接、山形円筒の横と上部に空気口を設け、その上に波形円盤を吊り、エアーポンプで送風時その風が下に吹き広がる作りとし、回転円盤の外側は、１２分割以上の分割板とし、それぞれ板状のピンを溶接、一定の条件で別のモーター付回転プレートが動き前述の分割板が４５度から６０度回転し、焼却灰が下へ落下する設計で、一部には回転ブラシで灰を除去する設備も併用、この回転円盤は炉外からカサ歯車式、ギアー付モーターで回転、ボイラー外から２個以上のパイプラインを通じ、燃料を投入、燃焼が出来る作りで円形石綿を巻き、燃料にのこくず、もみがら、竹粉、粉炭、又はコールタール、液状化石炭などの燃焼が可能な円形盤回転式（１）の構造を特徴とする炉内回転式蒸気ボイラー。
【請求項２】
横長ボイラー用炉のキャタピラー回転式（２）の構成は、横長ボイラーの炉にキャタピラーそれぞれの上部に通風口付長方形のボックスを取り付、燃料に応じた、そのボックスを２から３等分し多様な種類の燃料をパイプを通じ投下できる作りとし、又、ボイラーの前面から直接パイプを通じ、燃料を送風と同時に投入できる仕様も併用、多様な方法で燃料投入を可としキャタピラー燃料送り装置も取りはずし式とし送風及降灰も容易な設計で併用する燃料貯蔵タンクも上下に分け２種類が利用できる作りとし、上下の２種類の送りパイプの量を自動調整する事で、ボイラー炉に投入する燃料の種類で微粉、液体の利用が可能で横長ボイラー用炉にはキャタピラー回転式（２）を使用する構造を特徴とする請求項１に記載する炉内回転式蒸気ボイラー。
【発明の詳細な説明】
【技術分野】
【０００１】
本発明は、炉内回転式蒸気ボイラーで、炉内のその仕様は、縦型ボイラー用炉には、円形盤回転式（１）と横長ボイラー用炉には、キャタピラー回転式（２）とがあり、先に（１）の縦型ボイラー用円形盤回転式の構成は、スラスト及ラジアルベアリングを要した回転用円盤に、適宜サイズの山形傾斜付円筒を置き、その山形傾斜面に１０から２０ミリの薄型鋼材を円巻きと縦に溶接、山形円筒の横と上部に空気口を設け、その上に波型円盤を吊り、エアーポンプで送風時その風が下に吹き広がる作りとし、回転円盤の外側は、１２分割以上の分割板とし、それぞれ板状のピンを溶接、一定の条件で別のモーター付回転プレートが動き前述の分割板が４５度から６０度回転し、焼却灰が下へ落下する設計で一部には、回転ブラシで灰を除去する設備も併用、この回転円盤は炉外から、ギアー付モーターで回転、ボイラー外から２個以上のパイプラインを通じ燃料を投入、燃焼が出来る作りで円形石綿を巻き、燃料にのこくず、もみがら、竹粉、粉炭又は、コールタール、液状化石炭などの燃焼が可能な円形盤回転式（１）の構造を特徴とする炉内回転式蒸気ボイラーに関するものである。
【背景技術】
【０００２】
地球上において、現在全世界で工業用でも生活用においてでも、バイオマスエネルギーの利用度は、全エネルギー必要量の、平均して１０％も利用されていない。
ここ数年は、バイオ燃料は特に、石油の値段の上昇で見直され、主にアメリカ、オーストラリア、ブラジルの大型農産地では、食料用をエタノールの原料に回し、バイオ燃料の生産が活発化、その為食糧不足が問題視されている。
【０００３】
地球上には、食料用ではない木材、竹材、雑草、食用植物の廃材、建築用の廃材を含めて、人類が生活の為に必要とする熱エネルギーの数倍は、自然に生育しているとの統計もあり、これらを利用してボイラー温水給湯が安定利用でき、その上発電も十分利用できる装置を開発し、地域地域で利用できるバイオマスエネルギーの循環利用システムが構築できれば、石油、原子力の利用は不要で、風力、ソーラー発電は補助的に利用する程度でよく、クリーンエネルギーの確立で地球温暖化を防止の為にも開発が急務である。
【０００４】
従来から、蒸気式ボイラー及発電機としては、大電力会社の設置運営する大型の火力発電機が主流であった。最近では、主に生ゴミを集めペレット化して燃焼する発電機も開発運営され、同時にボイラーや温水給湯の利用も併用された施設が建設されつつある。
【０００５】
しかし、前述の生ゴミのボイラーや温水給湯と発電機も基本は蒸気給湯や発電効率をあげるため、更には設備費のコスト低減を計る必要から、
（イ）  １基設置機の大型化で大資本金が必要。
（ロ）  大型化ゆえ、設置場所選定の困難さ。
（ハ）  広域より生ゴミを集める必要性あり。最近では広域市町村より、消費地から発電所まで遠距離が問題視され、又、地区での生ゴミの分別により生ゴミの量の減少もあり、発電所への生ゴミの持込みの量が大幅に少なくなっている。発電焼却や温水給湯能力の大幅利用低下になっている。
【０００６】
この為、大型生ゴミ温水や発電所の維持が困難となっており、一方、地域の市町村で生ゴミを焼却するのではなく、肥料や飼料化などへの転換利用なども生ゴミの焼却持込み量の減少の一因にもなっている。
【０００７】
従来型の生ゴミ焼却発電所は大半が高温熱化と発電設備の小型化のため、この生ゴミを高熱で熱して、急速乾燥し一定のサイズと重量に固定化した、ペレット(ＲＤＦともいう)と称されるバイオマス燃料に改造してから発電用や温水給湯の焼却炉に投入されている。
【０００８】
このバイオ燃料のペレットは、硬く熱効率も良く、設備の小型化や管理人が小人数でよく、無人化などの長期間の利用コントロールが容易であるなどの利点もある。
【０００９】
しかしこのペレット燃料の発電機や温水給湯機の欠点としては、
（イ）  ペレット化する為の設備費や人件費がかかり、コスト高となる。
（ロ）  生ゴミや草などの、比較的ペレット化しやすい、軟質系のバイオ向き素材の利用で材木や竹などの硬質材は、ほとんど利用できない欠点がある。
【００１０】
更に、ペレットは一定の量とサイズに標準化されて、焼却の自動化はしやすいなどの利点も前述の通りであるが、木材や竹材などの硬質でサイズが大きい物や焼却材で建築廃材などサイズが不揃いな物の利用が出来ず、必ずペレット材に再加工が必要で経費もかかり、設備の大型化で各地の消費地近くにペレット用加工場と発電機及給湯の併設は困難が多く、小型で給湯や発電機設備を主力にした装置の開発が必要である。
【００１１】
これら、従来型の大型のバイオ燃料発電機及ボイラー給湯機ではなく、
（イ）  森林の間伐材、竹材、建築廃材など更に、オイルサンド状練炭など焼却する方法はないか、
（ロ）  草、もみがら、のこくず、竹粉、粉炭、木材を含め、チップや（荒く２〜３センチにカットしたのみの物）ペレットも焼却できること、
（ハ）  全体装置は、小規模でスペースも少なく消費地近くで容易に設置でき、投下資金も小額で出来る事。
【００１２】
（ニ）  その上、効率のよい発電や温水給湯装置で、設置工事や定期点検、保守管理がしやすいこと。
【００１３】
前述した内容の排煙がクリーンな機械装置の開発で、小型でも消費地でバイオマスエネルギー利用の温水給湯や発電が年間を通じ利用できるボイラー装置が求められている。
【先行技術文献】
【特許文献】
【００１４】
【特許文献１】特開２０１３−４０７５３
【特許文献２】特開２０１２−２０７８３８
【特許文献３】特開２０１２−１２２６９９
【特許文献４】特開２０１２−１７５２８これらの特許申請には、小型であらゆるバイオマス燃料や、練炭や粘土状の燃料などすべて利用できるボイラーの開発は少ない。
【００１５】
本発明は、この様な従来の方式や構成が有していた問題点を解決しようとするものであり、小規模で安価なボイラー温水器付及、発電装置を開発し提供する事を目的としたものである。
【発明の概要】
【発明が解決しようとする課題】
【００１６】
（イ）  バイオマス燃料など石炭を含み、粉状、ペレットサンド状、ネリ状、長尺物が燃料として焼却できる方法はどうするか
（ロ）  ボイラーには小型の縦型ボイラーと大型用の横長ボイラーがあるが、前述の（イ）の燃料の焼却する方法はどうすれば良いか、
【課題を解決するための手段】
【００１７】
請求項１の発明は、ボイラーに関するもので、炉内回転式蒸気ボイラーで、炉内のその仕様は、縦型ボイラー用炉には、円形盤回転式（１）と横長ボイラー用炉には、キャタピラー回転式（２）とがあり、先に（１）の縦型ボイラー用円形盤回転式の構成は、スラスト及ラジアルベアリングを要した回転用円盤に、適宜サイズの山形傾斜付円筒を置き、その山形傾斜面に１０から２０ミリの薄形鋼材を円巻きと縦に溶接山形円筒の横と上部に空気口を設け、その上に波形円盤を吊り、エアーポンプで送風時その風が下に吹き広がる作りとし、回転円盤の外側は１２分割以上の分割板としそれぞれ板状のピンを溶接、一定の条件で別のモーター付回転プレートが動き前述の分割板が４５度から６０度回転し、焼却灰が下へ落下する設計で、一部には回転ブラシで灰を除去する設備も併用、この回転円盤は炉外からカサ歯車式、ギアー付モーターで回転、ボイラー外から２個以上のパイプラインを通じ、燃料を投入、燃焼が出来る作りで円形石綿を巻き、燃料にのこくず、もみがら、竹粉、粉炭又は、コールタール、液状化石炭などの燃焼が可能な円形盤回転式（１）の構造を特徴とする炉内回転式蒸気ボイラーを提供するものである。
【００１８】
請求項２の発明は、横長ボイラー用炉のキャタピラー回転式（２）で、その構成は、横長ボイラーの炉に、キャタピラーそれぞれの上部に通風口付長方形のボックスを取り付、そのボックスを２から３等分し、多様な種類の燃料をパイプを通じ投下できる作りとし、又、ボイラーの前面から直接パイプを通じ、燃料を送風と同時に投入できる仕様も併用、多様な方法で燃料投入を可とし、キャタピラー燃料送り装置も取りはずし式とし、送風及降灰も容易な設計で、併用する燃料貯蔵タンクも上下に分け２種類が利用できる作りとし、上下の２種類の送りパイプの量を自動調整する事で、ボイラー炉に投入する燃料の種類で、微粉、液体の利用が可能で、その上、オイル、石炭のサンド状や粘土などは直接ベルトコンベアーやスクリューパイプで炉内に投入できる横長ボイラー用炉にはキャタピラー回転式（２）を使用する構造を特徴とする請求項１に記載する炉内回転式蒸気ボイラーを提供するものである。
【００１９】
第一の発明の作用は、次の通りで縦型ボイラー炉内への投入は練り液状、廃油ネリ状燃料は、円回転板の下側へ高圧ポンプかスクリューポンプ、ベルトコンベアーで円回転の手前側に投入回転、更に別のパイプで微粉の竹粉や粉炭を送風と同時に炉内に投入し、燃料の量を調整する事で炉内の燃焼温度を加減できる作用がある。
【００２０】
第二の発明の作用は、大型ボイラーに適している横長ボイラー炉内への燃料の投入はキャタピラー回転式を使用、その上部に２から３に分離した通風口付長方形のボックスを固定し、そのボックスの２か３に分離した中に高圧ポンプか送風ポンプ又はベルトコンベアーで３種類のオイル、石炭等のサンド燃料やネリ状の燃料又は、竹や石炭の粉を分けて投入して回転し、横長ボイラー全体で燃焼させ炉内の燃焼温度を加減できる作用がある。
【発明の効果】
【００２１】
前述した本発明の炉内回転式蒸気ボイラーは次の効果を発揮する。
【００２２】
第一の発明効果は、小型ボイラーで使用しやすい円形縦型ボイラーで、燃焼炉を円盤にし、燃料の物に応じて円形盤回転式の回転のスピードを調整する事で、竹粉、のこくず、もみがら、粉炭、粘土状、液状の燃料を使用可とし、炉の全体で燃焼出来、燃料節約の効果がある。
【００２３】
第二の発明の効果は、大型ボイラーに適する横長ボイラー炉用には、キャタピラー回転式を使用、キャタピラーの上部に２か３に分離した通風口付長方形のボックスを使用し、前述の竹粉から粉炭と、更には半液状の燃料を投入し、燃焼の熱量に応じて回転スピードを調整し、横長炉内の全体の炉内温度を安定でき、燃焼を向上出来る効果がある。
【００２４】
以上により、竹粉、粉炭、固形物、半固形物のバイオマスや石炭サンド物を燃料として燃焼できる円形縦型ボイラー、横長ボイラーを提供し、ボイラーの爆発の不安もなく、温水蒸気用、発電用として使用できる効果を発揮する。
【図面の簡単な説明】
【００２５】
【図１】本発明の実施例を示す炉内回転式蒸気ボイラー縦型平面図
【図２】外観図（以下、本発明の実施例を示す文言を省略する）
【図３】（その１図）図２のＡ−Ａ線断面図  円形回転炉図        （その２図）かさ歯車図
【図４】（その１図）円形回転部及焼却灰落下方法図        （その２図）モーター作用図        （その３図）灰落下作用図
【図５】横長ボイラー用外観正面図
【図６】横長ボイラー用キャタピラー回転式斜視図
【図７】キャタピラー回転式炉平面図
【図８】横長ボイラー右側面図
【発明を実施するための形態】
【００２６】
前述の通り、竹粉や粉炭からあらゆるバイオマスの燃料と粘土型、オイルサンドなども含めて燃焼できるボイラーが求められ、特に竹粉、粉炭、のこくず、もみがら、練り液状粉炭などが燃焼できる蒸気ボイラーとしてメンテナンスがしやすいコンパクトなデザインにまとめた形態とした。
【００２７】
以下、本願発明の実施形態を図１から図８に基づいて説明する。
【００２８】
図１は、本発明の実施例を示す炉内回転式蒸気ボイラー縦型平面図で、１はコンクリート基礎ベース、２は温水タンクで、３は蒸気パイプ、４は燃料タンク、５は燃料送りパイプ、６はボイラー、お湯で、ここで温水が発生し２のタンクにためるもので、７はボイラー蒸気発生ボイラーで、８は煙突で、９は燃料タンク蓋で縦型ボイラーの概要を表わすものである。
【００２９】
図２は、外観図で正面から見た図で、１０は圧力計、１１は給水用浄水器で若干のにごり水でも、この浄水器で清水にしてボイラーへの給水を可とし、１２は送風機で右上と左下に置き、スムーズに炉内の燃焼を支えるもので、１３は復水器で水に戻し、１４の高圧ポンプでボイラーへ給水、１６は灰受箱で前後に開閉でき、１７は燃料タンク内の傾斜板で燃料がスムーズに排出できる作りで、１８は燃料炉内送りパイプで２から３以上に分けて炉に燃料を送り、１９は固形大型燃料の投入口でサイズちがいのバイオマス燃料が投入可で、２０は水位計である。その他の数、４，５，６，８は図１の通りである。
【００３０】
図３のその１図は、図２のＡ−Ａ線断面図で、２１は炉内に設けたボイラーの高熱補助板で、７のボイラー蒸気発生パイプを細くし、炉内の火炎で共に熱され、炉内に細パイプをなくした為、バイオマスボイラーとしては、多様は形状のバイオマス燃料が利用しやすく、メンテナンスも容易な設計とし、２２は風向反板で、２３の火炎が下向へ流れ、２４のあみ目入り円錐円けい板に当り粉炭が、１８の炉内送りパイプから出て燃焼し、２４の円錐円けい板の中心から風が上部にふき上げ、２３の様に火炎が炉の外側に向かい、炉の全体に行きわたり、数字が前後するが、２５の円形回転盤の上にある、３０の練り燃料も燃焼し、２６のカサ歯車回転モーターで、その２図の２７のカサ歯車が回転し、全体の２５の円形回転盤も回転するもので、２８はスラストベアリングで回転盤を支えスムーズに回転する。その他の数６，１８は図２の通りである。
【００３１】
図４のその１図は、２５の円形回転盤で、２４が円すい円けい盤（あみ目入り）で、竹粉、粉炭をこのあみ目で受けて燃焼する設計で燃焼後、灰は、３１の円回転受皿が、３２の受皿回転モーターで、その２図の通り３３のピンが３２の受皿回転モーターで、その３図の通り、３１の円回転受皿が５０〜６０度傾斜し灰が落下するもので、２６は、カサ歯車モーターである。
【００３２】
図５は、横長ボイラー外観正面図で、フランジ式横長ボイラーで、３４のフランジ（大）でボイラー部と燃焼炉を連結し、蒸気だまりの３６も又、３５のフランジ（小）で締め切り、分解すれば蒸気部、炉内すべて、ブラシで地下にメンテナンスが出来る設計とし、全体をコンパクトにまとめたデザインとした。その他の数４，５，８，７，１３，１８は、図１、図２の通りである。
【００３３】
図６は、横長ボイラー炉キャタピラー回転式斜視図で１８の燃料用送りパイプで３７のキャタピラー燃料送り機に燃料を投入、キャタピラーの回転でボイラー炉の奥まで火炎を送り燃焼する作りとした。
【００３４】
図７は、キャタピラー燃料送り機の平面図で図６の３７のキャタピラーの上部のケースは、図７の平面図では、燃料ケースで２から３に分離し、ネリ炭、粉炭又は竹粉、のこくず、もみがら等が投入でき燃焼度合に応じ、又、熱量に応じて投入量を調整できる作りで、このボイラー炉からキャタピラー燃料送り機を引き出し除去すれば通常の炉投入口から長尺のバイオマスの木、竹など長尺４０センチ、６０センチの木材燃焼用炉ボイラーにかえ使用できる設計とした。
【００３５】
図８は、横長ボイラー右側面図で、ボイラーの燃焼正面を表わす図で、５の燃料送りパイプで４の燃料タンクに３種類の燃料を投入これは２種類でも良く、１８の炉内送りパイプで量を調整し、３８のキャタピラー送り機の燃料ケースに燃料を投入する作りで、３９はハシゴ、４０はボイラー間の蒸気うかいパイプで４１は、蒸気出口レバーで蒸気を色々なビニールハウスや食品加工、発電機等に利用する蒸気出口レバーで、４２は灰受皿取っ手で灰受皿を引き出す時利用、４３は風穴で、風量を右回しで調整する作りで火炎の量と合わせて調整する。数２は温水タンク、１２は送風機である。
【産業上の利用可能性】
【００３６】
本願発明品の特徴としては、
（イ）  竹粉、粉炭、粘土状とあらゆる燃料を燃焼できるボイラーである。
（ロ）  バイオマス燃料の通常サイズであるチップやペレットが燃焼できる自動標準機から大型木材、建築廃材など形やサイズが不揃いの２０センチ〜２ｍの長さの燃料の利用できる大型機でも製作可。
（ハ）  フランジ型ボイラーは、炎の最適位置などの自動調整、設置工事と保守管理が容易で、高効率の温水器併用発電機の製作が可能。
【００３７】
以上の製品の用途としては、
（Ａ）山林地区の村や少人数の部落など、木材や竹材、又、石炭の採炭地などの多発地区に発明品を置き、温水や電気の利用が出来る。
（Ｂ）離島の小規模部落や中規模町内でも利用でき、原木や食物植木や草など砂糖キビ、ひまわりの種や油、種を絞った後の茎やしぼりカス、粉炭を燃焼することでお湯や電気を利用できる。
（Ｃ）建築廃材等の処理、製材所、家具や、木材業などに単体で設置でき、お湯と電気を供給できる。
（Ｄ）（Ａ）の山林地区で山林の間伐材や竹材などのバイオマスの燃料が多くできる地区では、軽度の身体障害者の方の労働の場の提供も可能で、安価なバイオマス燃料を他の地区の同燃料の消費地区へ提供する事で、相互の需要が安定化する事が出来る。
（Ｅ）石油エネルギーはいろいろ便利で制御もしやすいが数十年で枯渇するため、再生可能エネルギーとしては、地球上に必ず生息する木材や各種植物及粉炭を利用したバイオマスエネルギーの利用循環システムの構築は不可欠。
【００３８】
以上のように石油や変動する風力、水力を使用する事なく、一定の高温燃焼でCO２の発生も抑止でき地球上に年間を通じて生息する木、竹材、草、食用外植物、建築廃材をバイオマスエネルギーとして年間を通じ循環して利用でき、安定したお湯と発電が可能で、特にビニールハウスや野菜工場、魚介類のハウス内養殖に最適で、地球温暖化防止にも役立ち全国的にも需要拡大が見込まれ、産業上の利用効果も期待できる。
【符号の説明】
【００３９】
１．基礎ベース
２．温水タンク
３．蒸気パイプ
４．燃料タンク（貯蔵庫）
５．燃料送りパイプ
６．ボイラー（お湯部）
７．ボイラー蒸気部
８．煙突
９．上蓋
１０．圧力計
１１．給水用浄水器
１２．送風機
１３．復水器
１４．再給水モーター
１５．高圧ポンプ
１６．灰受箱
１７．傾斜板
１８．燃料炉内送りパイプ
１９．燃料投入口
２０．水位計
２１．高熱補助板
２２．風向反板（かえりばん）
２３．風向矢印
２４．円錐円けい板（あみ目入り）
２５．円形→回転盤
２６．カサ歯車回転モーター
２７．カサ歯車
２８．スラストベアリング
２９．送風パイプ
３０．練り燃料（半液体）
３１．円回転受皿
３２．受皿回転モーター
３３．ピン
３４．フランジ（大）
３５．フランジ（小）
３６．蒸気だまり部
３７．キャタピラー燃料送り機
３８．燃料ケース（又はボックス）
３９．ハシゴ
４０．蒸気うかいパイプ
４１．蒸気出口レバー
４２．取っ手
４３．風穴
【図１】
2015132419.tif 000003
【図２】
2015132419.tif 000004
【図４】
2015132419.tif 000005
【図７】
2015132419.tif 000006
【図８】
2015132419.tif 000007
【図３】
2015132419.tif 000008
【図５】
2015132419.tif 000009
【図６】
2015132419.tif 000010
【手続補正書】
【提出日】平成26年6月5日(2014.6.5)
【手続補正１】
【補正対象書類名】明細書
【補正対象項目名】０００１
【補正方法】変更
【補正の内容】
【０００１】
本発明は、請求項１を縦型ボイラー用炉を有する炉内回転式（１）を縦型ボイラーの発明とし、請求項２は、横長ボイラー用炉を有する炉内回転式蒸気ボイラーの発明とし炉には、キャタピラ回転式（２）を使用、先に請求項１の縦型ボイラー用炉内回転の構成はスラスト及ラジアルベアリングを要した炉内回転式（１）に、適宜サイズの山形傾斜円筒を置き、その山形傾斜面に１０から２０ミリの薄型鋼材を円巻と同時に縦にも溶接、山形傾斜円筒の横と上部に空気口を設け、その上に波形円盤を吊り、エアーポンプで送風時その風が下に吹き上がる作りとし、下側の回転用円盤の外側は、１２分割以上の分割板とし、それぞれ板状のピンを溶接、一定の条件で別のモーター付回転プレートが動き前述の分割板が４５度から６０度回転し、焼却灰が下へ落下する設計で、一部には回転ブラシで灰を除去する設備も併用、この回転用円盤は炉外からカサ歯車式、ギアー付モーターで回転、ボイラー外から２個以上のパイプラインを通じ、燃料を投入、燃焼が出来る作りで円形石綿を巻き、燃料にのこくず、もみがら、竹粉、粉炭、又はコールタール、液状化石炭で、サイズ、形状不揃いでも燃焼が可能な縦型ボイラー炉内回転式（１）の構造を特徴とする炉内回転式蒸気ボイラーに関するものである。
【手続補正２】
【補正対象書類名】明細書
【補正対象項目名】００１７
【補正方法】変更
【補正の内容】
【００１７】
請求項１の発明は、ボイラーに関するもので請求項１を縦型ボイラー用炉を有する炉内回転式（１）を縦型ボイラーの発明とし、請求項２は、横長ボイラー用炉を有する炉内回転式蒸気ボイラーの発明とし炉には、キャタピラ回転式（２）を使用、先に請求項１の縦型ボイラー用炉内回転の構成はスラスト及ラジアルベアリングを要した炉内回転式（１）に、適宜サイズの山形傾斜円筒を置き、その山形傾斜面に１０から２０ミリの薄型鋼材を円巻と同時に縦にも溶接、山形傾斜円筒の横と上部に空気口を設け、その上に波形円盤を吊り、エアーポンプで送風時その風が下に吹き上がる作りとし、下側の回転用円盤の外側は、１２分割以上の分割板とし、それぞれ板状のピンを溶接、一定の条件で別のモーター付回転プレートが動き前述の分割板が４５度から６０度回転し、焼却灰が下へ落下する設計で、一部には回転ブラシで灰を除去する設備も併用、この回転用円盤は炉外からカサ歯車式、ギアー付モーターで回転、ボイラー外から２個以上のパイプラインを通じ、燃料を投入、燃焼が出来る作りで円形石綿を巻き、燃料にのこくず、もみがら、竹粉、粉炭、又はコールタール、液状化石炭で、サイズ、形状不揃いでも燃焼が可能な縦型ボイラー炉内回転式（１）の構造を特徴とする炉内回転式蒸気ボイラーを提供するものである。
【手続補正３】
【補正対象書類名】明細書
【補正対象項目名】００１８
【補正方法】変更
【補正の内容】
【００１８】
請求項２の発明は、横長ボイラー炉を有する炉内回転式蒸気ボイラーの発明で、その構成は横長ボイラーの炉に長尺向きのキャタピラ（２）を設けそれぞれの上部に通風口付長方形のボックスを取り付、燃料に応じた、そのボックスを２から３等分し、多様な種類の燃料をパイプを通じ投下できる作りとし、又、ボイラーの前面から直接パイプを通じ、燃料を送風と同時に投入できる仕様も併用、多様な方法で燃料投入を可とし、キャタピラ燃料送り装置も取りはずし式とし、送風及降灰も容易な設計で、併用する燃料貯蔵タンクも上下に分け２種類が利用できる作りとし、上下の２種類の送りパイプの量を自動調整する事で、ボイラー炉に投入する燃料の種類で、微粉、液体の利用が可能で、横長ボイラー用炉にはキャタピラ回転式（２）を使用、横長炉全体に燃焼物が届く、横長大形蒸気ボイラー用に適した構造を特徴とする請求項１に記載する炉内回転式蒸気ボイラーを提供するものである。
【手続補正４】
【補正対象書類名】明細書
【補正対象項目名】００２５
【補正方法】変更
【補正の内容】
【００２５】
【図１】本発明の実施例を示す炉内回転式蒸気ボイラー縦型平面図
【図２】外観図（以下、本発明の実施例を示す文言を省略する）
【図３】（その１図）図２のＡ−Ａ線断面図  円形回転炉図（その２図）かさ歯車図
【図４】（その１図）  円形回転部及焼却灰落下方法図（その２図）モーター作用図         （その３図）灰落下作用図         （その４図）円巻きと縦溶接付図
【図５】横長ボイラー用外観正面図
【図６】横長ボイラー用キャタピラー回転式斜視図
【図７】キャタピラー回転式炉平面図
【図８】横長ボイラー右側面図
【手続補正５】
【補正対象書類名】明細書
【補正対象項目名】００３０
【補正方法】変更
【補正の内容】
【００３０】
図３のその１図は、図２のＡ−Ａ線断面図で、２１は炉内に設けたボイラーの高熱補助板で、７のボイラー蒸気発生パイプを細くし、炉内の火炎で共に熱され、炉内に細パイプをなくした為、バイオマスボイラーとしては、多様は形状のバイオマス燃料が利用しやすく、メンテナンスも容易な設計とし、２２は風向反板で、２３の火炎が下向へ流れ、２４の山形傾斜網目入り円筒に当り粉炭が、１８の炉内送りパイプから出て燃焼し、２４の山形傾斜網目入り円筒の中心から風が上部にふき上げ、２３の様に火炎が炉の外側に向かい、炉の全体に行きわたり、数字が前後するが、２５の円形回転盤の上にある、３０の練り燃料も燃焼し、２６のカサ歯車回転モーターで、その２図の２７のカサ歯車が回転し、全体の２５の円形回転盤も回転するもので、２８はスラストベアリングで回転盤を支えスムーズに回転、１８の燃料送りパイプは、２から３方向から設けてもよく、更に粉炭や固形燃料を炉内にスムーズに送り込む事と乾燥度合や、種類にも色々異なる為、４４の送風ブロアー機から送風度合を調整しながら燃料を炉内に送る。その他の数６，７，８は図２の通りである。
【手続補正６】
【補正対象書類名】明細書
【補正対象項目名】００３１
【補正方法】変更
【補正の内容】
【００３１】
図４のその１図は、２５の円形回転盤で、２４が山形傾斜網目入り円筒で、竹粉、粉炭をこのあみ目で受けて燃焼する設計で燃焼後、灰は、３１の円回転受皿が、３２の受皿回転モーターで、その２図の通り３３のピンが３２の受皿回転モーターで、その３図の通り、３１の円回転受皿が５０〜６０度傾斜し灰が落下するもので、その１図の２６は、カサ歯車モーターで、その４図は、２４の山形傾斜網目入り円筒に横縦平鉄板溶接網の部分図で、粉岩、もみがらなどの燃料が、４４の送風ブロアー機からの送風と同調して４３の横縦平鉄板の窪みに当り２４の山形傾斜網目入り円筒の回転と共に、全体に燃料が当り、下へ落下する事なく燃焼できる。
【手続補正７】
【補正対象書類名】明細書
【補正対象項目名】００３９
【補正方法】変更
【補正の内容】
【００３９】
１．基礎ベース
２．温水タンク
３．蒸気パイプ
４．燃料タンク（貯蔵庫）
５．燃料送りパイプ
６．ボイラー（お湯部）
７．ボイラー蒸気部
８．煙突
９．上蓋
１０．圧力計
１１．給水用浄水器
１２．送風機
１３．復水器
１４．再給水モーター
１５．高圧ポンプ
１６．灰受箱
１７．傾斜板
１８．燃料炉内送りパイプ
１９．燃料投入口
２０．水位計
２１．高熱補助板
２２．風向反板（かえりばん）
２３．風向矢印
２４．山形傾斜網目入り円筒
２５．円形回転盤
２６．カサ歯車回転モーター
２７．カサ歯車
２８．スラストベアリング
２９．送風パイプ
３０．練り燃料（半液体）
３１．円回転受皿
３２．受皿回転モーター
３３．ピン
３４．フランジ（大）
３５．フランジ（小）
３６．蒸気だまり部
３７．キャタピラ燃料送り機
３８．燃料ケース（又はボックス）
３９．ハシゴ
４０．蒸気うかいパイプ
４１．蒸気出口レバー
４２．取っ手
４３．横縦平鉄板溶接網
４４．送風ブロアー機
【手続補正８】
【補正対象書類名】図面
【補正対象項目名】図３
【補正方法】変更
【補正の内容】
【図３】
2015132419.tif 000011
【手続補正９】
【補正対象書類名】図面
【補正対象項目名】図４
【補正方法】変更
【補正の内容】
【図４】
2015132419.tif 000012
【手続補正１０】
【補正対象書類名】特許請求の範囲
【補正対象項目名】全文
【補正方法】変更
【補正の内容】
【特許請求の範囲】
【請求項１】
ボイラーに関するもので、請求項１を縦型ボイラー用炉を有する炉内回転式（１）を縦型ボイラーの発明とし、請求項２は、横長ボイラー用炉を有する炉内回転式蒸気ボイラーの発明とし炉には、キャタピラ回転式（２）を使用、先に請求項１の縦型ボイラー用炉内回転の構成はスラスト及ラジアルベアリングを要した炉内回転式（１）に、適宜サイズの山形傾斜円筒を置き、その山形傾斜面に１０から２０ミリの薄型鋼材を円巻と同時に縦にも溶接、山形傾斜円筒の横と上部に空気口を設け、その上に波形円盤を吊り、エアーポンプで送風時その風が下に吹き上がる作りとし、下側の回転用円盤の外側は、１２分割以上の分割板とし、それぞれ板状のピンを溶接、一定の条件で別のモーター付回転プレートが動き前述の分割板が４５度から６０度回転し、焼却灰が下へ落下する設計で、一部には回転ブラシで灰を除去する設備も併用、この回転用円盤は炉外からカサ歯車式、ギアー付モーターで回転、ボイラー外から２個以上のパイプラインを通じ、燃料を投入、燃焼が出来る作りで円形石綿を巻き、燃料にのこくず、もみがら、竹粉、粉炭、又はコールタール、液状化石炭で、サイズ、形状不揃いでも燃焼が可能な縦型ボイラー炉内回転式（１）の構造を特徴とする炉内回転式蒸気ボイラー。
【請求項２】
横長ボイラー炉を有する炉内回転式蒸気ボイラーの発明で、その構成は横長ボイラーの炉に長尺向きのキャタピラ（２）を設けそれぞれの上部に通風口付長方形のボックスを取り付、燃料に応じた、そのボックスを２から３等分し、多様な種類の燃料をパイプを通じ投下できる作りとし、又、ボイラーの前面から直接パイプを通じ、燃料を送風と同時に投入できる仕様も併用、多様な方法で燃料投入を可とし、キャタピラ燃料送り装置も取りはずし式とし、送風及降灰も容易な設計で、併用する燃料貯蔵タンクも上下に分け２種類が利用できる作りとし、上下の２種類の送りパイプの量を自動調整する事で、ボイラー炉に投入する燃料の種類で、微粉、液体の利用が可能で、横長ボイラー用炉にはキャタピラ回転式（２）を使用、横長炉全体に燃焼物が届く、横長大形蒸気ボイラー用に適した構造を特徴とする請求項１に記載する炉内回転式蒸気ボイラー。
【手続補正書】
【提出日】平成26年9月11日(2014.9.11)
【手続補正１】
【補正対象書類名】明細書
【補正対象項目名】０００１
【補正方法】変更
【補正の内容】
【０００１】
本願発明は、縦型ボイラー用炉を有する炉内回転式（１）の縦型ボイラーで、縦型ボイラー用炉内回転の構成は、スラスト及ラジアルベアリングを要した炉内回転式（１）に、適宜サイズの山形傾斜円筒を置き、その山形傾斜面に１０から２０ミリの薄型鋼材を円巻と同時に縦にも溶接、山形傾斜円筒の横と上部に空気口を設け、その上に波形円盤を吊り、エアーポンプで送風時その風が下に吹き上がる作りとし、下側の回転用円盤の外側は、１２分割以上の分割板とし、それぞれ板状のピンを溶接、一定の条件で別のモーター付回転プレートが動き前述の分割板が４５度から６０度回転し、焼却灰が下へ落下する設計で、一部には回転ブラシで灰を除去する設備も併用、この回転用円盤は炉外からカサ歯車式、ギアー付モーターで回転、ボイラー外から２個以上のパイプラインを通じ、燃料を投入、燃焼が出来る作りで円形石綿を巻き、燃料にのこくず、もみがら、竹粉、粉炭、又はコールタール、液状化石炭で、サイズ、形状不揃いでも燃焼が可能な縦型ボイラー用炉を有する炉内回転式（１）の縦型ボイラーに関するものである。
【手続補正２】
【補正対象書類名】明細書
【補正対象項目名】００１７
【補正方法】変更
【補正の内容】
【００１７】
請求項１の発明は、縦型ボイラー用炉を有する炉内回転式（１）の縦型ボイラーで、縦型ボイラー用炉内回転の構成は、スラスト及ラジアルベアリングを要した炉内回転式（１）に、適宜サイズの山形傾斜円筒を置き、その山形傾斜面に１０から２０ミリの薄型鋼材を円巻と同時に縦にも溶接、山形傾斜円筒の横と上部に空気口を設け、その上に波形円盤を吊り、エアーポンプで送風時その風が下に吹き上がる作りとし、下側の回転用円盤の外側は、１２分割以上の分割板とし、それぞれ板状のピンを溶接、一定の条件で別のモーター付回転プレートが動き前述の分割板が４５度から６０度回転し、焼却灰が下へ落下する設計で、一部には回転ブラシで灰を除去する設備も併用、この回転用円盤は炉外からカサ歯車式、ギアー付モーターで回転、ボイラー外から２個以上のパイプラインを通じ、燃料を投入、燃焼が出来る作りで円形石綿を巻き、燃料にのこくず、もみがら、竹粉、粉炭、又はコールタール、液状化石炭で、サイズ、形状不揃いでも燃焼が可能な縦型ボイラー用炉を有する炉内回転式（１）の縦型ボイラーを提供するものである。
【手続補正３】
【補正対象書類名】明細書
【補正対象項目名】００１８
【補正方法】変更
【補正の内容】
【００１８】
請求項２の発明は、横長ボイラー炉を有する炉内回転式ボイラーの発明で、その構成は横
長ボイラーの炉に長尺向きのキャタピラ（２）を設けそれぞれの上部に通風口付長方形の
ボックスを取り付、燃料に応じた、そのボックスを２から３等分し、多様な種類の燃料を
パイプを通じ投下できる作りとし、又、ボイラーの前面から直接パイプを通じ、燃料を送
風と同時に投入できる仕様も併用、多様な方法で燃料投入を可とし、キャタピラ燃料送り
装置も取りはずし式とし、送風及降灰も容易な設計で、併用する燃料貯蔵タンクも上下に
分け２種類が利用できる作りとし、上下の２種類の送りパイプの量を自動調整する事で、
ボイラー炉に投入する燃料の種類で、微粉、液体の利用が可能で、横長ボイラー用炉には
キャタピラ回転式（２）を使用、横長炉全体には燃焼物が届く、横長大形蒸気ボイラー用
に適した構造を特徴とする、横長ボイラー炉を有する炉内回転式蒸気ボイラーを提供する
ものである。
【手続補正４】
【補正対象書類名】特許請求の範囲
【補正対象項目名】全文
【補正方法】変更
【補正の内容】
【特許請求の範囲】
【請求項１】
縦型ボイラー用炉を有する炉内回転式（１）の縦型ボイラーで、縦型ボイラー用炉内回
転の構成は、スラスト及ラジアルベアリングを要した炉内回転式（１）に、適宜サイズ
の山形傾斜円筒を置き、その山形傾斜面に１０から２０ミリの薄型鋼材を円巻と同時に
縦にも溶接、山形傾斜円筒の横と上部に空気口を設け、その上に波形円盤を吊り、エア
ーポンプで送風時その風が下に吹き上がる作りとし、下側の回転用円盤の外側は、１２
分割以上の分割板とし、それぞれ板状のピンを溶接、一定の条件で別のモーター付回転
プレートが動き前述の分割板が４５度から６０度回転し、焼却灰が下へ落下する設計で、
一部には回転ブラシで灰を除去する設備も併用、この回転用円盤は炉外からカサ歯車式、
ギアー付モーターで回転、ボイラー外から２個以上のパイプラインを通じ、燃料を投入、
燃焼が出来る作りで円形石綿を巻き、燃料にのこくず、もみがら、竹粉、粉炭、又はコ
ールタール、液状化石炭で、サイズ、形状不揃いでも燃焼が可能な縦型ボイラー用炉を
有する炉内回転式（１）の縦型ボイラー。
【請求項２】
横長ボイラー炉を有する炉内回転式ボイラーの発明で、その構成は横長ボイラーの炉に
長尺向きのキャタピラ（２）を設けそれぞれの上部に通風口付長方形のボックスを取り
付、燃料に応じた、そのボックスを２から３等分し、多様な種類の燃料をパイプを通じ
投下できる作りとし、又、ボイラーの前面から直接パイプを通じ、燃料を送風と同時に
投入できる仕様も併用、多様な方法で燃料投入を可とし、キャタピラ燃料送り装置も取
りはずし式とし、送風及降灰も容易な設計で、併用する燃料貯蔵タンクも上下に分け２
種類が利用できる作りとし、上下の２種類の送りパイプの量を自動調整する事で、ボイ
ラー炉に投入する燃料の種類で、微粉、液体の利用が可能で、横長ボイラー用炉にはキ
ャタピラ回転式（２）を使用、横長炉全体には燃焼物が届く、横長大形蒸気ボイラー用
に適した構造を特徴とする、横長ボイラー炉を有する炉内回転式蒸気ボイラー。